(57)【要約】【課題】取手を引いてグリル庫を開閉しなくてもグリル庫内の調理物の焼き具合を良好に確認できるグリル付コンロについて、美観性及び清掃性を向上させることを目的とする。【解決手段】印刷１００を施したガラス性のトッププレート１０の手前中央に、印刷１００を施さないエリア（非印刷領域Ｒ）を設ける。  そして、グリル庫１２の天板３０について、非印刷領域Ｒと対面する位置に、覗き用開口部３０ａを形成する。非印刷領域Ｒと覗き用開口部３０ａの間には、窓板４０を備える。  そのため、トッププレート１０をフラットな形状とすることができ、トッププレート１０の美観を向上させることができるとともにトッププレート１０の清掃性を向上させることができる。【選択図】    図１
2005114292.tif 000002
【特許請求の範囲】
【請求項１】
被調理物を収納して加熱調理するためのグリル庫と、
器体上面にガラスを素材としたガラストッププレートと
を備えたグリル付コンロにおいて、
上記ガラストッププレートは透視不能な印刷が施されるとともに、その一部において非印刷領域が設けられ、
上記グリル庫は上記トッププレートの上記非印刷領域と対面するように覗き用開口が形成され、
上記トッププレートの上記非印刷領域を介して、グリル庫内を視認可能としたことを特徴とするグリル付コンロ。
【発明の詳細な説明】
【技術分野】
【０００１】
本発明は、被調理物をグリル庫内で加熱調理するグリルを備えたグリル付コンロに関する。
【背景技術】
【０００２】
従来よりグリル付コンロにおいては、例えば特許文献１に示すようにグリル上面に覗き窓を設けたものが提案されている。
このようなグリル付コンロ１ａは、図４に示すように、グリル庫１１２上面に、グリル開口１３０を有する突出部１３０ａを形成し、突出部１３０ａと対面するトッププレート（天板）１１０に、トップ開口１１０ａを形成する。そして、トップ開口１１０ａには、本体とは別体の覗き窓部１３８を取付可能としている。
覗き窓部１３８には覗き窓１４０が備えられ、覗き窓１４０を通してグリル庫１１２内に採光が得られるため、覗き窓１４０を覗くことによりグリル庫１１２内の調理物Ｆの焼け具合を随時確認できる。
このようなグリル付コンロでは、調理物を確認するためにグリル庫１１２前面に備えられた取手６２を引き出して調理物を直接確認する必要が無いため、グリル庫１１２の熱エネルギー損失がなく、調理物は速やかに加熱されるのである。
【特許文献１】特開２００２−３４０３４８
【発明の開示】
【発明が解決しようとする課題】
【０００３】
しかしながら上記従来技術においては、覗き窓部を本体とは別体とし、トッププレートに取り付ける構造としていたために以下の問題があった。
まず、覗き窓によりトッププレートのフラット性が損なわれ、掃除がしにくくなるとともに、美観性が損なわれていた。
また、調理容器からこぼれた煮汁が、覗き窓部とトッププレート開口との間の隙間を伝わって器体内に入り込んでしまうことがあった。
本発明のグリル付コンロは、かかる問題を解決し、取手を引いてグリル庫を開閉しなくてもグリル庫内の調理物の焼き具合を良好に確認できるグリル付コンロについて、美観性及び清掃性を向上させることを目的とする。
【課題を解決するための手段】
【０００４】
上記課題を解決する本発明の請求項１記載のグリル付コンロは、被調理物を収納して加熱調理するためのグリル庫と、
器体上面にガラスを素材としたガラストッププレートと
を備えたグリル付コンロにおいて、
上記ガラストッププレートは透視不能な印刷が施されるとともに、その一部において非印刷領域が設けられ、
上記グリル庫は上記トッププレートの上記非印刷領域と対面するように覗き用開口が形成され、
上記トッププレートの上記非印刷領域を介して、グリル庫内を視認可能としたことを要旨とする。
【発明の効果】
【０００５】
上記構成を有する本発明の請求項１記載のグリル付コンロは、透過視不能な印刷を施したガラス性のトッププレートに非印刷領域を設けたために、調理者は非印刷領域からグリル庫内の調理物の焼け具合を確認することができる。つまり、トッププレートの一部をグリル庫内確認用の窓として兼用できる。
従って、従来のように別体の覗き窓をもつ必要がないため、覗き窓とトッププレートとの間に隙間が形成されることがなく、調理容器からこぼれた煮汁が器体内に入り込むようなことが無い。
また、トッププレートをフラットな形状とすることができるため、美観を向上させることができるとともに清掃性を向上させることができる。
さらに、部品点数を減少させることができるために、安価に製造することが可能である。
【発明を実施するための最良の形態】
【０００６】
以上説明した本発明の構成、作用を一層明らかにするために、以下、本発明のグリル付コンロにおける好的な実施例について説明する。
【実施例１】
【０００７】
本発明の実施例１の調理器としてのビルトインコンロについて図３を用いて説明する。
ビルトインコンロ１は、キッチンユニットのカウンタートップ２に形成した四角形の上面開口に器具本体を落とし込み、器具本体の上端フランジ（図示略）をカウンタートップ２に引掛けて係止させて、キッチンカウンター３内に組込まれる。
このビルトインコンロ１は、左右にコンロバーナ７４a、７４ｂが設けられるとともに、コンロバーナ７４ａ、７４ｂの中央後方には、とろ火用のコンロバーナ７４ｃが設けられる。さらに、コンロバーナ７４ｃの後方にはグリル排気口７４ｄが形成される。
そして、器具本体の上方から、これらコンロバーナ７４ａ、７４ｂ、７４ｃ、およびグリル排気口７４ｄが露出するように開口されたトッププレート１０が載置され、器体内部を覆うように構成されている。
【０００８】
トッププレート１０は、一枚の透過視性のガラスで形成され、上面および下面に透過視不能な印刷１００がほどこされる。
このトッププレート１０は、図５に示すように、コンロバーナ７４ａ、７４ｂ、７４ｃ、およびグリル排気口７４ｄに臨む位置に、それぞれ２４ａ、２４ｂ、２４ｃ、２４ｄが開口される。
そして、コンロバーナ用開口２４ａ、２４ｂの間には、印刷１００を施さない非印刷領域Ｒが設けられる。この非印刷領域Ｒは長方形状であり、後述するグリル庫天板上に形成された覗き用開口の上部に形成される。
つまり、このトッププレート１０は、非印刷領域Ｒにおいてはガラスの有する透過視性を保つ一方、非印刷領域Ｒ以外の印刷１００領域は非透過視性を有する。これにより、非印刷領域Ｒにおいては、トッププレート１０を通して下部を視認することができ、非印刷領域Ｒ以外の印刷１００領域ではトッププレート１０の下部を視認することができない。
【０００９】
このトッププレート１０の上面には、図３に示すように、コンロバーナ７４ａ、７４ｂ、７４ｃを囲むようにゴトク７５ａ、７５ｂ、７５ｃがそれぞれ搭載される。使用者はゴトク７５ａ、７５ｂ、７５ｃの上に図示しない調理鍋を載せ、点火ボタン７１ａ、７１ｂ、７１ｃを操作することによりコンロバーナ７４ａ、７４ｂ、７４ｃを点火して調理する。
【００１０】
こんろバーナ７４ａ、７４ｂ間の器体の中心部には、魚等の被調理物を焼くためのグリル１３が、トッププレート１０の下方に設けられ、操作ボタン１３ａを押して点火し加熱調理が行われる。
このグリル１３は片面焼きタイプのグリルで、図１、図２に示すように被調理物Ｆを加熱調理するグリル庫１２を備える。
グリル庫１２には、上段左右側面に設けられ燃料ガスを燃焼させて被調理物Ｆを加熱するバーナ２０と、中段に設けられ被調理物Ｆを載せる焼網２２と、底部に設けられ焼網２２を載せたまま手前にスライドさせて引き出すことができる受皿２４とを備える。
【００１１】
グリル庫１２の正面中央には、受皿２４と一体的に固定され受皿２４を手前に引き出す取手６２が設けられる。
取手６２を手前に引き出すと、取手６２に固定された受皿２４がグリル庫１２の底面をスライドし、受皿２４に載置された焼網２２が同時に引き出される。
【００１２】
グリル庫１２の左右側面に設けたバーナ２０は、多孔質セラミックスの平面プレートに多数の小炎口を貫通させた燃焼面を有し、燃焼に必要な空気の殆どを一次空気として吸入する全一次空気式のバーナである。
尚、バーナ２０に臨んで図示しない点火電極が設けられる。
【００１３】
グリル庫１２の背部には、仕切壁５２を介して排気室５０を併設し、この仕切壁５２に開口してグリル庫１２と排気室５０とを連通する連通口５４を焼網２２よりも下方に設けている。従って、バーナ２０から発生した燃焼排気をいったん庫内に充満させた後、排気室５０を介して排気口５１より排出されるよう排気路を構成している。
【００１４】
また、グリル天板３０には、グリル庫１２内部を上から覗くことのできる覗き用開口部３０ａが形成される。
覗き用開口部３０ａは、上述したトッププレート１０上の非印刷領域Ｒよりもひと回り大きい長方形状であり、非印刷領域Ｒの下方（グリル天板３０手前中央）に設けられる。
【００１５】
そして、覗き用開口部３０ａと非印刷領域Ｒとの間には、覗き窓３４が設置される。
覗き窓３４は、図６に示すように枠体下部３２と窓板４０と枠体上部３３とからなる。
【００１６】
枠体下部３２は、四角筒形状であり、その下端には覗き用開口部３０ａ上部周囲を囲うように側方に伸びたフランジ３２ａが形成され、上方には窓板４０の周囲を支えるための支面３２ｃが内側に曲折して形成される。
この枠体下部３２は、その内周壁で囲まれる領域を覗き用開口部３０ａに整合させ、フランジ３２ａにおいてグリル天板３０とスポット溶接される。
【００１７】
窓板４０は、長方形の透過視性の耐熱ガラスで形成され、枠体下部３２の支面３２ｃと、後述する枠体上部３３の固定部３３ａとから形成される隙間に挟み込まれて固定される。
【００１８】
枠体上部３３は、四角柱形状の枠部３３ｃと、枠部３３ｃの上端を内側に曲折してトッププレート１０との当接面を形成する支面３３ｄと、枠部３３ｃの左右の下端をＬ字状に曲折して窓板４０の押さえ面を形成する固定部３３ａとからなる。
支面３３ｄは、中央に開口部３３ｅを形成する。開口部３３ｅはトッププレート１０の非印刷領域Ｒ下部に位置する。
固定部３３ａは、枠体下部３２とスポット溶接される。
【００１９】
従って、使用者はトッププレート１０上の非印刷領域Ｒより、枠体上部３３に形成された開口部３３ｅ、窓板４０、枠体下部３２に形成された開口部を通して、グリル庫１２内部を視認することができる。
【００２０】
窓板４０の下方には、図１、図２に示すように、その脂飛散汚れを防止するためのシャッター４１が設けられ、グリル庫１２と窓板４０とを隔離する。このシャッター４１は、グリル天板３０に溶接された正面断面Ｌ字形状のガイド３１により、左右両端を支えられる。
このシャッター４１の前部および後部には、図１に示すように、それぞれ引っ張りバネ４２およびピアノ線４３が接続される。また、ピアノ線４３はビルトインコンロ１の前面に備えられた開閉つまみ４８に連結される。つまり、開閉つまみ４８を右から左に移動させることで、シャッター４１は奥方向にスライドするように構成されている。
【００２１】
上述するビルトインコンロ１では、調理中に開閉つまみ４８を右から左に移動させることにより、シャッター４１がグリル天板の奥へスライドし、シャッター４１に隠れていたグリル庫１２の被調理物Ｆが表れる。
これにより、トッププレート１０上に形成された非印刷領域Ｒおよび窓板４０を通してグリル庫内１２に光が差し込み、調理者はグリル庫１２内部の調理物Ｆを視認することができるのである。
従って、調理物を確認するためにグリル庫１２前面に備えられた取手６２を引き出して調理物を直接確認する必要が無く、グリル庫１１２の熱エネルギー損失がないため、調理物は速やかに加熱されるのである。
【００２２】
しかも、ガラス製のトッププレート１０に非印刷領域Ｒを設けることにより、グリル庫内確認用の窓とトッププレート１０とを兼用したために、グリル庫内を覗くための窓を別途トッププレート１０上に取り付ける必要がなく、トッププレート１０をフラットな形状とすることができる。
そのため、トッププレート１０の美観を向上させることができるとともにトッププレート１０の清掃性を向上させることができる。
また、採光用の窓をトッププレート１０上に取り付ける場合のように、トッププレート１０上に隙間が形成されることがなく、調理容器からこぼれた煮汁が器体内に入り込むようなことが無い。
さらに、部品点数を減少させることができるために、安価に製造することが可能である。
【００２３】
以上、本発明の実施例について説明したが、本発明は、こうした実施形態に何ら限定されるものではなく、本発明の要旨を逸脱しない範囲において種々なる形態で実施しうることはもちろんである。
例えば、トッププレートに施す印刷は、表裏の両面からの印刷に限定せず、表面あるいは裏面のみからの印刷としてもよい。
また、非印刷領域は、グリル天板の手前上面に限定するものではない。
さらに、グリル庫の覗き用開口の下方に、シャッターを設けるものに限定しないし、グリル庫の覗き用開口とトッププレートの非印刷領域との間の密閉構造は任意に構成できるものである。
【産業上の利用可能性】
【００２４】
本発明は、グリル付テーブルコンロおよびキッチンユニットに組込まれるグリル付ビルトインコンロ等の種々のグリル付コンロに適応することができる。
【図面の簡単な説明】
【００２５】
【図１】本発明実施例のグリル付コンロを側面から見た断面図である。
【図２】本発明実施例のグリル付コンロを正面から見た断面図である。
【図３】本発明実施例のグリル付コンロを示した説明図である。
【図４】従来のグリル付コンロを示した説明図である。
【図５】本発明実施例のトッププレートを示した説明図である。
【図６】本発明実施例の覗き窓下部を示した説明図である。
【符号の説明】
【００２６】
１  ビルトインコンロ
Ｒ  非印刷領域
１０  トッププレート
１２  グリル庫
１３  グリル
２２  焼網
２４  受皿
３１  ガイド
３２  枠体下部
３３  枠体上部
４０  窓板
４１  シャッター
４２  引っ張りバネ
５０  排気室
５１  排気口
６２  取手
１００  印刷
３０ａ  覗き用開口部
【図１】
2005114292.tif 000003
【図２】
2005114292.tif 000004
【図３】
2005114292.tif 000005
【図４】
2005114292.tif 000006
【図５】
2005114292.tif 000007
【図６】
2005114292.tif 000008